(57)【要約】【課題】応答速度を改善できるとともに書き換え寿命を延ばすことができる反射型表示装置の駆動方法を提供する。【解決手段】各表示領域は、表示用電極の電位の極性が負の場合に第１色を表示可能であり、正の場合に第２色を表示可能である、という反射型表示装置を駆動する方法であって、表示書き換えタイミングにおいて、共通電極には、第３電位を接続し、第２色から第１色に表示色を切り替える表示領域の表示用電極には、第３電位に対して負の極性の第１電位を第１書き込み時間長だけ接続し、次に第３電位に対して正の極性の第２電位を第１書き込み時間長より短い第１吸着防止時間長の間に接続し、その後第３電位を接続し、第１色から第２色に表示色を切り替える表示領域の表示用電極には、第２電位を第２書き込み時間長だけ接続し、次に第１電位を第２書き込み時間長より短い第２吸着防止時間長の間に接続し、その後第３電位を接続する。【選択図】図４
2016014851.tif 000002
【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
一方の基板と他方の基板との間には、複数の表示領域を覆う共通電極と、前記表示媒体が配置された表示媒体層と、前記複数の表示領域の各々に対応する複数の表示用電極とが、前記一方の基板側から前記他方の基板側に向かって当該順序で設けられており、
前記複数の表示領域の各々は、当該表示領域に対応する表示用電極に接続される電位の、前記共通電極に接続される電位に対する極性が負の場合に第１色を表示可能であり、当該極性が正の場合に第２色を表示可能である、という反射型表示装置を駆動する方法であって、
表示書き換えタイミングにおいて、
前記共通電極には、第３電位を接続し、
第２色から第１色に表示色を切り替える表示領域に対応する表示用電極には、前記第３電位に対して負の極性の第１電位を第１書き込み時間長だけ接続し、次に前記第３電位に対して正の極性の第２電位を前記第１書き込み時間長より短い第１吸着防止時間長の間に接続し、その後前記第３電位を接続し、
第１色から第２色に表示色を切り替える表示領域に対応する表示用電極には、前記第２電位を第２書き込み時間長だけ接続し、次に前記第１電位を前記第２書き込み時間長より短い第２吸着防止時間長の間に接続し、その後前記第３電位を接続する
ことを特徴とする反射型表示装置の駆動方法。
【請求項２】
第２色から第１色に表示色を切り替える表示領域に対応する表示用電極に前記第２電位を第１吸着防止時間長の間に接続する際に、前記第２電位を連続的に接続する工程と、前記第３電位を連続的に接続する工程と、を交互に繰り返し、
第１色から第２色に表示色を切り替える表示領域に対応する表示用電極に前記第１電位を第２吸着防止時間長の間に接続する際に、前記第１電位を連続的に接続する工程と、前記第３電位を連続的に接続する工程と、を交互に繰り返す
ことを特徴とする請求項１に記載の反射型表示装置の駆動方法。
【請求項３】
第２色から第１色に表示色を切り替える表示領域に対応する表示用電極に前記第２電位を第１吸着防止時間長の間に接続する際に、前記第２電位の連続接続時間長は、１ｍｓ以上であり、前記第３電位の連続接続時間長は、５００μｓ以上であり、
第１色から第２色に表示色を切り替える表示領域に対応する表示用電極に前記第１電位を第２吸着防止時間長の間に接続する際に、前記第１電位の連続接続時間長は、１ｍｓ以上であり、前記第３電位の連続接続時間長は、５００μｓ以上である
ことを特徴とする請求項２に記載の反射型表示装置の駆動方法。
【請求項４】
前記第１吸着防止時間長は、第２色から第１色に表示色を切り替える表示領域に対応する表示用電極に前記第２電位を接続する前後における当該表示領域の反射率の変化率が５％以内となるような時間長であり、
前記第２吸着防止時間長は、第１色から第２色に表示色を切り替える表示領域に対応する表示用電極に前記第１電位を接続する前後における当該表示領域の反射率の変化率が５％以内となるような時間長である
ことを特徴とする請求項１乃至３のいずれかに記載の反射型表示装置の駆動方法。
【請求項５】
前記第１吸着防止時間長は、前記第１書き込み時間長の０．１％〜５％の時間長であり、
前記第２吸着防止時間長は、前記第２書き込み時間長の０．１％〜５％の時間長である
ことを特徴とする請求項１乃至４のいずれかに記載の反射型表示装置の駆動方法。
【請求項６】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
一方の基板と他方の基板との間に設けられ、前記表示媒体が配置された表示媒体層と、
前記一方の基板上に設けられ、複数の表示領域を覆う共通電極と、
前記他方の基板上に設けられ、前記複数の表示領域の各々に対応する複数の表示用電極と、
各表示用電極にそれぞれ電圧を印加する電圧印加制御部と、
を備え、
前記複数の表示領域の各々は、当該表示領域に対応する表示用電極に接続される電位の、前記共通電極に接続される電位に対する極性が負の場合に第１色を表示可能であり、当該極性が正の場合に第２色を表示可能であり、
前記共通電極には、前記第３電位が接続されており、
前記電圧印加制御部は、表示書き換えタイミングにおいて、
第２色から第１色に表示色を切り替える表示領域に対応する表示用電極には、前記第３電位に対して負の極性の第１電位を第１書き込み時間長だけ接続し、次に前記第３電位に対して正の極性の第２電位を前記第１書き込み時間長より短い第１吸着防止時間長の間に接続し、その後前記第３電位を接続し、
第１色から第２色に表示色を切り替える表示領域に対応する表示用電極には、前記第２電位を第２書き込み時間長だけ接続し、次に前記第１電位を前記第２書き込み時間長より短い第２吸着防止時間長の間に接続し、その後前記第３電位を接続するようになっている
ことを特徴とする反射型表示装置。
【請求項７】
前記電圧印加制御部は、
第２色から第１色に表示色を切り替える表示領域に対応する表示用電極に前記第２電位を第１吸着防止時間長の間に接続する際に、前記第２電位を連続的に接続する動作と、前記第３電位を連続的に接続する動作と、を交互に繰り返し、
第１色から第２色に表示色を切り替える表示領域に対応する表示用電極に前記第１電位を第２吸着防止時間長の間に接続する際に、前記第１電位を連続的に接続する動作と、前記第３電位を連続的に接続する動作と、を交互に繰り返すようになっている
ことを特徴とする請求項６に記載の反射型表示装置。
【請求項８】
第２色から第１色に表示色を切り替える表示領域に対応する表示用電極に前記第２電位を第１吸着防止時間長の間に接続する際に、前記第２電位の連続接続時間長は、１ｍｓ以上であり、前記第３電位の連続接続時間長は、５００μｓ以上であり、
第１色から第２色に表示色を切り替える表示領域に対応する表示用電極に前記第１電位を第２吸着防止時間長の間に接続する際に、前記第１電位の連続接続時間長は、１ｍｓ以上であり、前記第３電位の連続接続時間長は、５００μｓ以上である
ことを特徴とする請求項７に記載の反射型表示装置。
【請求項９】
前記第１吸着防止時間長は、第２色から第１色に表示色を切り替える表示領域に対応する表示用電極に前記第２電位を接続する前後の当該表示領域の反射率の変化率が５％以内となる時間長であり、
前記第２吸着防止時間長は、第１色から第２色に表示色を切り替える表示領域に対応する表示用電極に前記第１電位を接続する前後の当該表示領域の反射率の変化率が５％以内となる時間長である
ことを特徴とする請求項６乃至８のいずれかに記載の反射型表示装置。
【請求項１０】
前記第１吸着防止時間長は、前記第１書き込み時間長の０．１％〜５％の時間長であり、
前記第２吸着防止時間長は、前記第２書き込み時間長の０．１％〜５％の時間長である
ことを特徴とする請求項６乃至９のいずれかに記載の反射型表示装置。
【発明の詳細な説明】
【技術分野】
【０００１】
本発明は、電子ペーパー等に応用されている反射型表示装置の駆動方法に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置の１つのタイプの構造をより詳しく説明すると、一方の基板と他方の基板との間には、複数の表示領域を覆う共通電極と、電気泳動体を含む表示媒体が配置された表示媒体層と、複数の表示領域の各々に対応する複数の表示用電極とが、一方の基板側から他方の基板側に向かって当該順序で設けられており、共通電極は、ＧＮＤ電位を接続されており、複数の表示領域の各々は、当該表示領域に対応する表示用電極に印加される電圧の極性に応じて、第１色および第２色のうちいずれか一方の表示色を共通電極側（視認側）に選択的に表示可能である。
【０００５】
具体的には、例えば、表示媒体中に正に帯電した黒色の電気泳動粒子と負に帯電した白色の電気泳動粒子とが含まれる場合、表示用電極に正電圧が印加されると、黒色の電気泳動粒子および白色の電気泳動粒子にそれぞれ電気的な力が作用して、白色の電気泳動粒子が表示用電極側に移動すると共に、黒色の電気泳動粒子が共通電極側に移動する。これにより、表示領域の共通電極側には黒色が表示される。一方、表示用電極に負電圧が印加されると、白色の電気泳動粒子が共通電極側に移動すると共に、黒色の電気泳動粒子が表示用電極側に移動する。これにより、表示領域の共通電極側には白色が表示される。表示用電極にＧＮＤ電位を接続されると、すなわち、表示用電極への電圧印加が停止されると、黒色の電気泳動粒子および白色の電気泳動粒子にそれぞれ作用していた電気的な力が消失するため、黒色の電気泳動粒子および白色の電気泳動粒子は各々その場に静止する。これにより、表示領域の表示色は保持される。
【０００６】
特許文献１（特開２００２−８２３６１号公報）には、表示用電極に書き込み電圧を印加する直前に書き込み電圧とは逆極性の電圧を印加することで、書き込み電圧を印加する際の電位変動を駆動電圧の２倍にして高コントラストな表示を得る方法が開示されている。
【先行技術文献】
【特許文献】
【０００７】
【特許文献１】特開２００５−８２３６１号公報
【発明の概要】
【発明が解決しようとする課題】
【０００８】
ところで、このような反射型表示装置が実際に工場で量産される場合、パネル製造時の環境条件の違いやパネル資材の個体差に起因して、表示色を切り替えるために必要な最小限の電圧印加時間長が、パネルごとに異なっている。すなわち、パネルごとに個体差が存在している。量産時の限られた時間では駆動回路に設定される書き込み時間長をパネルごとに十分に最適化することが難しいため、通常は、駆動回路に設定される書き込み時間長として、必要最小限の電圧印加時間長よりも長めの時間長が採用されている。
【０００９】
しかしながら、この場合、次のような問題がある。すなわち、表示書き換え時に、必要最小限の電圧印加時間長よりも長めの時間長で電圧印加が行われることで、表示媒体中の電気応答性材料が電極に過剰に吸着してしまう。これにより、次の表示書き換え時に、電気応答性材料が電極からスムーズに離れなくなって、応答速度が低下する。また、反射型表示装置では、一般に、表示の書き換えを繰り返すたびに電極に吸着して離れない電気応答性材料の数が増えていくことが、製品としての書き換え寿命、すなわち、最大書き換え可能回数を規定する一因となっているが、表示書き換え時に、必要最小限の電圧印加時間長よりも長めの時間長で電圧印加を行って、電気応答性材料を電極に過剰に吸着させてしまうと、１回の書き換えあたりに生じる、電極に吸着して離れない電気応答性材料の数が増加し、これにより、製品としての書き換え寿命が短くなる。
【００１０】
本発明は、このような問題点に着目してなされたものであり、その目的は、応答速度を改善できるとともに書き換え寿命を延ばすことができる反射型表示装置の駆動方法を提供することにある。また、本発明の目的は、そのような駆動方法に対応できる反射型表示装置を提供することにある。
【課題を解決するための手段】
【００１１】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、一方の基板と他方の基板との間には、複数の表示領域を覆う共通電極と、前記表示媒体が配置された表示媒体層と、前記複数の表示領域の各々に対応する複数の表示用電極とが、前記一方の基板側から前記他方の基板側に向かって当該順序で設けられており、前記複数の表示領域の各々は、当該表示領域に対応する表示用電極に接続される電位の、前記共通電極に接続される電位に対する極性が負の場合に第１色を表示可能であり、当該極性が正の場合に第２色を表示可能である、という反射型表示装置を駆動する方法であって、表示書き換えタイミングにおいて、前記共通電極には、第３電位を接続し、第２色から第１色に表示色を切り替える表示領域に対応する表示用電極には、前記第３電位に対して負の極性の第１電位を第１書き込み時間長だけ接続し、次に前記第３電位に対して正の極性の第２電位を前記第１書き込み時間長より短い第１吸着防止時間長の間に接続し、その後前記第３電位を接続し、第１色から第２色に表示色を切り替える表示領域に対応する表示用電極には、前記第２電位を第２書き込み時間長だけ接続し、次に前記第１電位を前記第２書き込み時間長より短い第２吸着防止時間長の間に接続し、その後前記第３電位を接続することを特徴とする反射型表示装置の駆動方法である。
【００１２】
好ましくは、第２色から第１色に表示色を切り替える表示領域に対応する表示用電極に前記第２電位を第１吸着防止時間長の間に接続する際に、前記第２電位を連続的に接続する工程と、前記第３電位を連続的に接続する工程と、を交互に繰り返し、第１色から第２色に表示色を切り替える表示領域に対応する表示用電極に前記第１電位を第２吸着防止時間長の間に接続する際に、前記第１電位を連続的に接続する工程と、前記第３電位を連続的に接続する工程と、を交互に繰り返す。
【００１３】
この場合、更に好ましくは、第２色から第１色に表示色を切り替える表示領域に対応する表示用電極に前記第２電位を第１吸着防止時間長の間に接続する際に、前記第２電位の連続接続時間長は、１ｍｓ以上であり、前記第３電位の連続接続時間長は、５００μｓ以上であり、第１色から第２色に表示色を切り替える表示領域に対応する表示用電極に前記第１電位を第２吸着防止時間長だけ接続する際に、前記第１電位の連続接続時間長は、１ｍｓ以上であり、前記第３電位の連続接続時間長は、５００μｓ以上である。
【００１４】
また、好ましくは、前記第１吸着防止時間長は、第２色から第１色に表示色を切り替える表示領域に対応する表示用電極に前記第２電位を接続する前後の当該表示領域の反射率の変化率が５％以内となる時間長であり、前記第２吸着防止時間長は、第１色から第２色に表示色を切り替える表示領域に対応する表示用電極に前記第１電位を接続する前後の当該表示領域の反射率の変化率が５％以内となる時間長である。
【００１５】
具体的には、例えば、前記第１吸着防止時間長は、前記第１書き込み時間長の０．１％〜５％の時間長であり、前記第２吸着防止時間長は、前記第２書き込み時間長の０．１％〜５％の時間長である。
【００１６】
また、本発明は、前記のような駆動方法に対応できる反射型表示装置である。すなわち、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、一方の基板と他方の基板との間に設けられ、前記表示媒体が配置された表示媒体層と、前記一方の基板上に設けられ、複数の表示領域を覆う共通電極と、前記他方の基板上に設けられ、前記複数の表示領域の各々に対応する複数の表示用電極と、各表示用電極にそれぞれ電圧を印加する電圧印加制御部と、を備え、前記複数の表示領域の各々は、当該表示領域に対応する表示用電極に接続される電位の、前記共通電極に接続される電位に対する極性が負の場合に第１色を表示可能であり、当該極性が正の場合に第２色を表示可能であり、前記共通電極には、前記第３電位が接続されており、前記電圧印加制御部は、表示書き換えタイミングにおいて、第２色から第１色に表示色を切り替える表示領域に対応する表示用電極には、前記第３電位に対して負の極性の第１電位を第１書き込み時間長だけ接続し、次に前記第３電位に対して正の極性の第２電位を前記第１書き込み時間長より短い第１吸着防止時間長の間に接続し、その後前記第３電位を接続し、第１色から第２色に表示色を切り替える表示領域に対応する表示用電極には、前記第２電位を第２書き込み時間長だけ接続し、次に前記第１電位を前記第２書き込み時間長より短い第２吸着防止時間長の間に接続し、その後前記第３電位を接続するようになっていることを特徴とする反射型表示装置である。
【００１７】
好ましくは、前記電圧印加制御部は、第２色から第１色に表示色を切り替える表示領域に対応する表示用電極に前記第２電位を第１吸着防止時間長の間に接続する際に、前記第２電位を連続的に接続する動作と、前記第３電位を連続的に接続する動作と、を交互に繰り返し、第１色から第２色に表示色を切り替える表示領域に対応する表示用電極に前記第１電位を第２吸着防止時間長の間に接続する際に、前記第１電位を連続的に接続する動作と、前記第３電位を連続的に接続する動作と、を交互に繰り返すようになっている。
【００１８】
この場合、更に好ましくは、第２色から第１色に表示色を切り替える表示領域に対応する表示用電極に前記第２電位を第１吸着防止時間長の間に接続する際に、前記第２電位の連続接続時間長は、１ｍｓ以上であり、前記第３電位の連続接続時間長は、５００μｓ以上であり、第１色から第２色に表示色を切り替える表示領域に対応する表示用電極に前記第１電位を第２吸着防止時間長の間に接続する際に、前記第１電位の連続接続時間長は、１ｍｓ以上であり、前記第３電位の連続接続時間長は、５００μｓ以上である。
【００１９】
また、好ましくは、前記第１吸着防止時間長は、第２色から第１色に表示色を切り替える表示領域に対応する表示用電極に前記第２電位を接続する前後の当該表示領域の反射率の変化率が５％以内となる時間長であり、前記第２吸着防止時間長は、第１色から第２色に表示色を切り替える表示領域に対応する表示用電極に前記第１電位を接続する前後の当該表示領域の反射率の変化率が５％以内となる時間長である。
【００２０】
具体的には、例えば、前記第１吸着防止時間長は、前記第１書き込み時間長の０．１％〜５％の時間長であり、前記第２吸着防止時間長は、前記第２書き込み時間長の０．１％〜５％の時間長である。
【発明の効果】
【００２１】
本発明によれば、反射型表示装置において、応答速度を改善できるとともに書き換え寿命を延ばすことができる。
【図面の簡単な説明】
【００２２】
【図１】図１は、本発明の一実施の形態による反射型表示装置を示す概略構成図である。
【図２】図２は、図１に示す反射型表示装置の概略平面図である。
【図３】図３（ａ）〜図３（ｄ）は、それぞれ、図１に示す反射型表示装置に表示される表示画像の一例を示す概略図である。
【図４】図４は、図３（ａ）〜図３（ｄ）に示す表示画像をこの順序で書き換える際に、各表示用電極に印加される電圧の波形を示す概略図である。
【図５】図５は、図３（ａ）〜図３（ｄ）に示す表示画像をこの順序で書き換える際に、各表示用電極に印加される電圧の波形の変形例を示す概略図である。
【図６】図６は、図５において符号Ａが付された一点鎖線で囲まれた部分の波形を拡大して示す概略図である。
【図７】図７は、図５において符号Ｂが付された一点鎖線で囲まれた部分の波形を拡大して示す概略図である。
【発明を実施するための形態】
【００２３】
以下に、添付の図面を参照して、本発明の実施の形態を詳細に説明する。
【００２４】
図１は、本発明の一実施の形態による反射型表示装置を示す概略構成図である。図２は、図１に示す反射型表示装置の概略平面図である。
【００２５】
図１および図２に示すように、本実施の形態による反射型表示装置１０は、少なくとも一方が透光性を有しており各々電極１２または１５ａ、１５ｂ、１５ｃが形成されている対向する２枚の基板１１、１６間に少なくとも１種以上の電気応答性材料を含む表示媒体１３が封入されていて、前記２枚の基板１１、１６間に所定の電界が与えられる際に所望の表示をするようになっている。ここで、本件の明細書および特許請求の範囲において「透光性」とは、光を通過する性質、という程度の意味である。本実施の形態においては、視認側に配置される基板は、全光透過率が５０％以上、好ましくは８０％以上、さらに好ましくは９０％以上となるような透光性を有している。
【００２６】
本実施の形態においては、図１に示すように、一方の基板１１と他方の基板１６との間には、複数（図示された例では３つ）の表示領域１８ａ、１８ｂ、１８ｃを覆う１つまたは２つ以上（図示された例では１つ）の共通電極１２と、表示媒体１３が配置された表示媒体層と、複数の表示領域１８ａ、１８ｂ、１８ｃの各々に対応する複数（図示された例では３つ）の表示用電極１５ａ、１５ｂ、１５ｃとが、一方の基板１１側から他方の基板１６側に向かって当該順序で設けられている。ここで「表示領域」とは、反射型表示装置１０において所望の表示に利用される領域、という意味である。
【００２７】
本実施の形態では、図１に示すように、一方の基板１１が視認側に配置され、他方の基板１６が非視認側に配置される。
【００２８】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１２として、酸化インジウムスズ（ＩＴＯ）、酸化亜鉛（ＺｎＯ）、酸化スズ（ＳｎＯ）等の透光性電極を付したものが、典型的に用いられる。本実施の形態の共通電極１２は、セグメント駆動用の共通電極として形成されている。
【００２９】
共通電極１２は、塗工法やスパッタリング法、真空蒸着法、ＣＶＤ法等によって、少なくとも一方の基板１１の複数の表示領域１８ａ、１８ｂ、１８ｄを覆うように形成される。共通電極１２は、必ずしもパターンが形成されている必要は無く、基板全面が電極であってもよい。
【００３０】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３１】
一方の基板１１は、ロール状でもシート状でもどちらでも適用可能である。
【００３２】
他方の基板１６としては、樹脂フィルム、樹脂板、ガラス、エポキシガラス（ガラエポ）等の基材の表示媒体１３側の面に、金属等の導電性材料によって表示用電極１５ａ、１５ｂ、１５ｃが形成されたものが用いられ得る。本実施の形態の表示用電極１５ａ、１５ｂ、１５ｃは、セグメント駆動用のパターン状の電極（セグメント電極）として形成されている。図１および図２に示すように、反射型表示装置１０における各表示領域１８ａ、１８ｂ、１８ｃは、個々の表示用電極１５ａ、１５ｂ、１５ｃによって規定される。
【００３３】
他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、図１に示すように、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００３４】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になりし、コストも高くなるからである。破損しにくく取り扱いが容易である好適な厚みの範囲は、５０μｍ〜３００μｍ程度である。
【００３５】
他方の基板１６も、ロール状でもシート状でもどちらでも適用可能である
本実施の形態の表示媒体層は、一方の基板１１と他方の基板１６との間において複数のセルを区画する隔壁１４を有しており、各セル内に、表示媒体１３が配置されている。ここで、「セル」とは、電気泳動体の沈降や偏在に起因する表示の不良、特にコントラストの低下を防止するべく２枚の基板１１、１６間において分割された、電気泳動体の微小な泳動空間、すなわち移動空間を意味する。なお、当該移動空間は、マイクロカプセル等、他の構造物によって分割されてもよい。また、電気泳動体の沈降や偏在のおそれが低い場合には、２枚の基板１１、１６間の空間は、このような構造物によって分割されていなくてもよい。
【００３６】
隔壁１４は、紫外線硬化樹脂、熱硬化樹脂、常温硬化樹脂等によって構成可能であり、隔壁１４の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００３７】
隔壁１４の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点間の距離を意味している。
【００３８】
隔壁１４の高さは、５μｍ〜５０μｍ、好ましくは１０μｍ〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０μｍ〜５０μｍの範囲の高さが好適である。
【００３９】
隔壁１４の頂面と、他方の基板１６上の表示用電極１５ａ、１５ｂ、１５ｃまたは他方の基板１６上の他の要素または他方の基板１６と、の間には、隔壁１４の頂面と、他方の基板１６上の表示用電極１５ａ、１５ｂ、１５ｃまたは他方の基板１６上の他の要素または他方の基板１６と、を接着させるための接着層（不図示）が設けられていてもよい。
【００４０】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００４１】
接着層を形成するための接着剤としては、熱可塑性材料を用いた接着剤が好ましく、加熱により軟化して、冷却すると固化する性質を有し、冷却と加熱を繰り返した場合に、組成が可逆的に保たれる材料である。
【００４２】
接着層として、具体的には、例えば、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００４３】
隔壁１４と接着層との密着性を上げるために、隔壁１４に紫外線照射やプラズマ処理などにより表面処理が施されてもよいし、プライマーが形成されてもよい。あるいは、接着層の方にシランカップリング剤が添加されてもよい。
【００４４】
表示媒体１３は、少なくとも１種以上の電気応答性材料を含んでいる。電気応答性材料としては、白色や黒色、カラーなどの色づけされた荷電粒子が電界に応答して移動する、いわゆる電気泳動粒子、または、電界により移動するナノ粒子材料などが用いられる。
【００４５】
本実施の形態においては、表示媒体１３は、分散媒と、当該分散媒に分散された白色の電気泳動粒子および黒色の電気泳動粒子と、を含んでいる。黒色の電気泳動粒子は、正に帯電されており、白色の電気泳動粒子は、負に帯電されている。これにより、表示用電極１５ａ、１５ｂ、１５ｃの電位が共通電極１２の電位よりも低くされると、正に帯電した黒色の電気泳動粒子が、分散媒中を表示用電極１５ａ、１５ｂ、１５ｃの側に引き寄せられるように泳動し、負に帯電した白色の電気泳動粒子が、分散媒中を共通電極１２の側に引き寄せられるように泳動するようになっている。また、表示用電極１５ａ、１５ｂ、１５ｃの電位が共通電極１２の電位よりも高くされると、正に帯電した黒色の電気泳動粒子が、分散媒中を共通電極１２の側に引き寄せられるように泳動し、負に帯電した白色の電気泳動粒子が、分散媒中を表示用電極１５ａ、１５ｂ、１５ｃの側に引き寄せられるように泳動するようになっている。そして、このような白色の電気泳動粒子および黒色の電気泳動粒子の泳動を制御することにより、各表示領域１８ａ、１８ｂ、１８ｃにおいて、白色および黒色のうちいずれか一方の表示色を共通電極１２側（すなわち、視認側）に選択的に表示できるようになっている。
【００４６】
本実施の形態では、図１および図２に示すように、表示媒体１３は外周シール１７によって取り囲まれている。図示された例では、反射型表示装置１０は矩形状であり、これに対応して、外周シール１７は矩形状に配置されている。
【００４７】
外周シール１７は、一方の基板１１上、あるいは、他方の基板１６上に、例えば紫外線硬化樹脂のような接着剤が、ディスペンサを用いて矩形状に塗布され、その後に紫外線によって硬化されることで形成されている。紫外線硬化樹脂の他に、熱硬化樹脂、常温硬化樹脂、ヒートシール樹脂等によっても構成可能である。また、外周シール１７は、ディスペンサの他に、各種の印刷法によって、あるいは、熱圧着によって配置可能である。
【００４８】
図１に示すように、反射型表示装置１０は、更に、各表示用電極１５ａ、１５ｂ、１５ｃにそれぞれ電圧を印加する電圧印加制御部１９を備えている。
【００４９】
本実施の形態では、電圧印加制御部１９は、共通電極１２および各表示用電極１５ａ、１５ｂ、１５ｃに電気的に接続され、少なくとも第３電位（例えば＋１５Ｖ）と、第３電位に対して負の極性の第１電位（例えば０Ｖ）と、第３電位に対して正の極性の第２電位（例えば＋３０Ｖ）と、を選択的に出力可能なドライバＩＣ２０と、ドライバＩＣ２０から共通電極１２および各表示用電極１５ａ、１５ｂ、１５ｃへの電圧印加を制御するＩＣコントローラ２２と、を備えている。
【００５０】
ドライバＩＣ２０は、少なくとも４つの出力端子と、電源電圧入力端子と、を有している。各出力端子は、それぞれ別個に、共通電極１２または各表示用電極１５ａ、１５ｂ、１５ｃに電気的に接続されている。電源電圧入力端子は、外部電源２１に電気的に接続されている。ＩＣコントローラ２２は、ドライバＩＣ２０に通信接続されており、ドライバＩＣ２０の各出力端子から出力される電位を各出力端子ごとに個別に制御するようになっている。
【００５１】
本実施の形態では、電圧印加制御部１９は、表示書き換えタイミングにおいて、共通電極１２に第３電位（すなわち＋１５Ｖ）を接続するとともに、黒色から白色に表示色を切り替えるべき表示領域（例えば符号１８ａの表示領域）の表示用電極１５ａに第１電位（すなわち０Ｖ）を第１書き込み時間長（例えば３００ｍｓ）だけ接続するようになっている。これにより、共通電極１２の電位に対する表示用電極１５ａの電位の極性が負となり、負に帯電した白色の電気泳動粒子が共通電極１２に吸着されると共に、正に帯電した黒色の電気泳動粒子が表示用電極１５ａに吸着され、結果的に、当該表示領域１８ａの共通電極１２側（視認側）には白色が表示される。次に、電圧印加制御部１９は、表示用電極１５ａに第２電位（すなわち＋３０Ｖ）を第１書き込み時間長より短い第１吸着防止時間長の間に、例えば第１吸着防止時間長の間、連続的に、接続するようになっている。これにより、共通電極１２の電位に対する表示用電極１５ａの電位の極性が正となり、負に帯電した白色の電気泳動粒子が共通電極１２から反発されると共に、正に帯電した黒色の電気泳動粒子が表示用電極１５ａから反発され、結果的に、各電気泳動粒子が共通電極１２または表示用電極１５ｂに過度に吸着することが抑制される。その後、電圧印加制御部１９は、表示用電極１５ａにも第３電位（すなわち＋１５Ｖ）を接続するようになっている。これにより、共通電極１２の電位と表示用電極１５ａの電位とが同電位となり、黒色の電気泳動粒子および白色の電気泳動粒子は各々その場に静止し、結果的に、表示領域１８ａの白色の表示色がそのまま保持される。
【００５２】
ここで、表示用電極１５ａに第２電位（すなわち＋３０Ｖ）が接続される時間長が長いほど、共通電極１２と表示用電極１５ａとの間に形成される電界により、負に帯電した白色の電気泳動粒子が共通電極１２から徐々に離れていくと共に、正に帯電した黒色の電気泳動粒子が表示用電極１５ａから徐々に離れていき、結果的に、表示領域１８ａの白色の表示色が時間と共に劣化していく、すなわち、灰色がかっていく。一般に、表示領域の可視光線反射率（以下、単に「反射率」という）の変化率が５％以内であれば、観察者は表示色の劣化を感知することができないが、５％より大きくなると、観察者は表示色の劣化を感知することが可能である。そのため、表示色が観察者により感知可能な程度まで劣化することを防止するために、第１吸着防止時間長は、表示用電極１５ａに第２電位（すなわち＋３０Ｖ）が接続される前後における表示領域１８ａの反射率の変化率が５％以内となるような時間長であることが好ましい。ここで、「反射率の変化率が５％以内」とは、変化後の反射率が、変化前の反射率×（９５％〜１０５％）の範囲にあることをいう。例えば、表示用電極１５ａに第２電位（＋３０Ｖ）を接続する前の表示領域１８ａの反射率が４０％である場合、表示用電極１５ａに第２電位（すなわち＋３０Ｖ）を接続した後の表示領域１８ａの反射率が４０％×（９５％〜１０５％）＝３８％〜４２％の範囲にあることを意味する。  本件発明者が、吸着防止のための逆パルス印加前および印加後において、コニカミノルタ社製分光測色計「ＣＭ−７００ｄ」を使用して、ＳＣＥ（正反射光除去）モード、Ｙｘｙ表色系にて得られるＹの値を反射率として測定し、その変化率を計算したところ、第１吸着防止時間長を、第１書き込み時間長の０．１％〜５％の時間長とすることで、表示領域１８ａの表示用電極１５ａに第２電位（すなわち＋３０Ｖ）が接続される前後における当該表示領域１８ａの反射率の変化率を５％以内とすることができることが確認された。したがって、第１吸着防止時間長は、第１書き込み時間長の０．１％〜５％の時間長であることが好ましい。具体的には、例えば、第１書き込み時間長が３００ｍｓの場合、第１吸着防止時間長は３００ｍｓ×（０．１％〜５％）＝０．３ｍｓ〜１５ｍｓであることが好ましい。
【００５３】
また、電圧印加制御部１９は、表示書き換えタイミングにおいて、共通電極１２に第３電位（すなわち＋１５Ｖ）を接続するとともに、白色から黒色に表示色を切り替えるべき表示領域（例えば符号１８ｂの表示領域）の表示用電極１５ｂに第２電位（すなわち＋３０Ｖ）を第２書き込み時間長（例えば３００ｍｓ）だけ接続するようになっている。これにより、共通電極１２の電位に対する表示用電極１５ｂの電位の極性が正となり、正に帯電した黒色の電気泳動粒子が共通電極１２に吸着されると共に、負に帯電した白色の電気泳動粒子が表示用電極１５ｂに吸着され、結果的に、当該表示領域１８ｂの共通電極１２側（視認側）には黒色が表示される。次に、電圧印加制御部１９は、表示用電極１５ｂに第１電位（すなわち０Ｖ）を第２書き込み時間長より短い第２吸着防止時間長の間に、例えば第２吸着防止時間長の間、連続的に、接続するようになっている。これにより、共通電極１２の電位に対する表示用電極１５ｂの電位の極性が負となり、正に帯電した黒色の電気泳動粒子が共通電極１２から反発されると共に、負に帯電した白色の電気泳動粒子が表示用電極１５ｂから反発され、結果的に、各電気泳動粒子が共通電極１２または表示用電極１５ｂに過度に吸着することが抑制される。その後、電圧印加制御部１９は、表示用電極１５ｂにも第３電位（すなわち＋１５Ｖ）を接続するようになっている。これにより、共通電極１２の電位と表示用電極１５ｂの電位とが同電位となり、黒色の電気泳動粒子および白色の電気泳動粒子は各々その場に静止し、結果的に、表示領域１８ｂの黒色の表示色がそのまま保持される。
【００５４】
ここで、表示用電極１５ｂに第１電位（すなわち０Ｖ）が接続される時間長が長いほど、共通電極１２と表示用電極１５ｂとの間に形成される電界により、正に帯電した黒色の電気泳動粒子が共通電極１２から徐々に離れていくと共に、負に帯電した白色の電気泳動粒子が表示用電極１５ｂから徐々に離れていき、結果的に、表示領域１８ｂの黒色の表示色が時間と共に劣化していく、すなわち、灰色がかっていく。そのため、表示色が大きく劣化することを防止するために、第２吸着防止時間長は、表示用電極１５ｂに第１電位（すなわち０Ｖ）が接続される前後における表示領域１８ｂの反射率の変化率が５％以内となるような時間長であることが好ましい。
【００５５】
本件発明者の実際の検証によれば、第２吸着防止時間長を、第２書き込み時間長の０．１％〜５％の時間長とすることで、表示領域１８ｂの表示用電極１５ｂに第１電位（すなわち０Ｖ）が接続される前後における当該表示領域１８ｂの反射率の変化率を５％以内とすることができることが確認された。したがって、第２吸着防止時間長は、第２書き込み時間長の０．１％〜５％の時間長であることが好ましい。具体的には、例えば、第２書き込み時間長が３００ｍｓの場合、第２吸着防止時間長は３００ｍｓ×（０．１％〜５％）＝０．３ｍｓ〜１５ｍｓであることが好ましい。
【００５６】
また、電圧印加制御部１９は、表示書き換えタイミングにおいて、共通電極１２に第３電位（すなわち＋１５Ｖ）を接続するとともに、表示色をそのまま保持すべき表示領域（例えば符号１８ｃの表示領域）の表示用電極１５ｃにも第３電位（すなわち＋１５Ｖ）を接続するようになっている。共通電極１２と表示用電極１５ｃとが同電位（すなわち＋１５Ｖ）に接続されることで、黒色の電気泳動粒子および白色の電気泳動粒子は各々その場に静止し、結果的に、当該表示領域１８ｃの表示色がそのまま保持される。
【００５７】
なお、本明細書において「表示書き換えタイミング」とは、反射型表示装置１０において観察者に対して所望の表示画像を改めて表示するタイミング、という意味であり、例えばデジタル表示時計のように所定の周期（例えば１ｓ）で繰り返すタイミングであってもよいし、電卓のように手動で不規則的に与えられるタイミングであってもよい。
【００５８】
また、電圧印加制御部１９は、大きさＶの電圧を書き込み時間長Ｔだけ印加する場合、大きさＶの電圧を書き込み時間長Ｔの間、連続して印加するようになっていてもよいし、大きさＶで時間長（パルス幅）Ｗのパルス状の電圧をＴ／Ｗ回だけ繰り返し印加するようになっていてもよい。すなわち、大きさＶの電圧の印加時間の総和が書き込み時間長Ｔと等しければよい。
【００５９】
次に、このような構成からなる反射型表示装置１０の駆動方法の一例について、図３（ａ）〜図３（ｄ）および図４を参照して説明する。以下、各表示領域１８ａ、１８ｂ、１８ｃを、それぞれ、第１表示領域１８ａ、第２表示領域１８ｂ、第３表示領域１８ｃともいう。また、各表示用電極１５ａ、１５ｂ、１５ｃを、それぞれ、第１表示用電極１５ａ、第２表示用電極１５ｂ、第３表示用電極１５ｃともいう。
【００６０】
図３（ａ）〜図３（ｄ）は、それぞれ、本実施の形態による反射型表示装置１０に表示される表示画像の一例を示す概略図である。図４は、図３（ａ）〜図３（ｄ）に示す表示画像をこの順序で切り替える際に、各表示用電極１５ａ、１５ｂ、１５ｃに印加される電圧の波形を示す概略図である。なお、本実施の形態では、第１書き込み時間長は、第２書き込み時間長と同じであり、図４では、第１書き込み時間長および第２書き込み時間長の両方に「書き込み時間」という表示が付されている。また、本実施の形態では、第１吸着防止時間長は、第２吸着防止時間長と同じであり、図４では、第１吸着防止時間長および第２吸着防止時間長の両方に「吸着防止時間」という表示が付されている。さらに、図４では、「吸着防止時間」終了直後から次の「書き込み時間」開始直前までの期間に「同電位保持ステップ」という表示が付されている。
【００６１】
本実施の形態において、初期状態では、図３（ａ）に示すような初期画像が表示されている。すなわち、第１表示領域１８ａおよび第３表示領域１８ｂには白色が表示されており、第２表示領域１８ｂには黒色が表示されている。初期状態では、電圧印加制御部１９は、共通電極１２および各表示用電極１５ａ、１５ｂ、１５ｃに同電位として第３電位（すなわち＋１５Ｖ）を接続している。
【００６２】
まず、図３（ａ）に示される初期画像から、図３（ｂ）に示される第１画像に書き換える工程、すなわち、第１表示領域１８ａおよび第３表示領域１８ｃの表示色を白色から黒色に切り替え、第２表示領域１８ｂの表示色を黒色から白色に切り替える工程を説明する。
【００６３】
この場合、図４に示すように、表示書き換えタイミングにおいて、電圧印加制御部１９は、共通電極１２に第３電位（すなわち＋１５Ｖ）を接続する。また、電圧印加制御部１９は、第１表示用電極１５ａおよび第３表示用電極１５ｃに第２電位（すなわち＋３０Ｖ）を第２書き込み時間長（すなわち３００ｍｓ）だけ接続し、次に第１電位（すなわち０Ｖ）を第２吸着防止時間長（すなわち０．３ｍｓ〜１５ｍｓ）の間に、ここでは第２吸着防止時間長の間、連続的に接続し、その後第３電位（すなわち＋１５Ｖ）を接続する。これにより、第１表示領域１８ａおよび第３表示領域１８ｃの表示色は、白色から黒色に切り替わる。一方、電圧印加制御部１９は、第２表示用電極１５ｂに第１電位（すなわち０Ｖ）を第１書き込み時間長（すなわち３００ｍｓ）だけ接続し、次に第２電位（すなわち＋３０Ｖ）を第１吸着防止時間長（すなわち０．３ｍｓ〜１５ｍｓ）の間に、ここでは第１吸着防止時間長の間、連続的に接続し、その後第３電位（すなわち＋１５Ｖ）を接続する。これにより、第２表示領域１８ｂの表示色は、黒色から白色に切り替わる。
【００６４】
ここで、第１表示用電極１５ａおよび第３表示用電極１５ｃに第２電位（すなわち＋３０Ｖ）を第２書き込み時間長（すなわち３００ｍｓ）だけ接続した後に、第１電位（すなわち０Ｖ）を第２吸着防止時間長（すなわち０．３ｍｓ〜１５ｍｓ）の間に接続することで、第１表示領域１８ａおよび第３表示領域１８ｃにおいて、電気泳動粒子が共通電極１２または各表示用電極１５ａ、１５ｃに過度に吸着することが抑制される。また、第２表示用電極１５ｂに第１電位（すなわち０Ｖ）を第１書き込み時間長（すなわち３００ｍｓ）だけ接続した後に、第２電位（すなわち＋３０Ｖ）を第１吸着防止時間長（すなわち０．３ｍｓ〜１５ｍｓ）の間に接続することで、第２表示領域１８ｂにおいて、電気泳動粒子が共通電極１２または第２表示用電極１５ｂに過度に吸着することが抑制される。
【００６５】
また、本実施の形態では、第１吸着防止時間長が、第１書き込み時間長の０．１％〜５％の時間長、すなわち第１表示用電極１５ａおよび第３表示用電極１５ｃに書き込み時とは逆極性の電位を接続する前後の第１表示領域１８ａおよび第３表示領域１８ｃの反射率の変化率が５％以内となる時間長であることで、第１表示用電極１５ａおよび第３表示用電極１５ｃに書き込み時とは逆極性の電位を接続する際に、第１表示領域１８ａおよび第３表示領域１８ｃにおける表示色（すなわち黒色）が観察者により感知可能な程度まで劣化することが防止される。また、第２吸着防止時間長が、第２書き込み時間長の０．１％〜５％の時間長、すなわち第２表示用電極１５ｂに書き込み時とは逆極性の電位を接続する前後の第２表示領域１８ｂの反射率の変化率が５％以内となる時間長であることで、第２表示用電極１５ｂに書き込み時とは逆極性の電位を接続する際に、第２表示領域１８ｂにおける表示色（すなわち白色）が観察者により感知可能な程度まで劣化することが防止される。
【００６６】
次に、図３（ｂ）に示される第１画像から、図３（ｃ）に示される第２画像に書き換える工程、すなわち、第１表示領域１８ａの表示色を黒色から白色に切り替え、第２表示領域１８ｂの表示色を白色から黒色に切り替え、第３表示領域１８ｄの表示色をそのまま保持する工程を説明する。
【００６７】
この場合、図４に示すように、次の表示書き換えタイミングにおいて、電圧印加制御部１９は、共通電極１２および第３表示用電極１５ｃに第３電位（すなわち＋１５Ｖ）を接続し続ける。これにより、第３表示領域１８ｃの表示色（すなわち黒色）は、そのまま保持される。一方、電圧印加制御部１９は、第１表示用電極１５ａに第１電位（すなわち０Ｖ）を第１書き込み時間長（すなわち３００ｍｓ）だけ接続し、次に第２電位（すなわち＋３０Ｖ）を第１吸着防止時間長（すなわち０．３ｍｓ〜１５ｍｓ）の間に、ここでは第１吸着防止時間長の間、連続的に接続し、その後第３電位（すなわち＋１５Ｖ）を接続する。これにより、第１表示領域１８ａの表示色は、黒色から白色に切り替わる。また、電圧印加制御部１９は、第２表示用電極１５ｂに第２電位（すなわち＋３０Ｖ）を第２書き込み時間長（すなわち３００ｍｓ）だけ接続し、次に第１電位（すなわち＋０Ｖ）を第２吸着防止時間長（すなわち０．３ｍｓ〜１５ｍｓ）の間に、ここでは第２吸着防止時間長の間、連続的に接続し、その後第３電位（すなわち＋１５Ｖ）を接続する。これにより、第２表示領域１８ｂの表示色は、白色から黒色に切り替わる。
【００６８】
ここで、第１表示用電極１５ａに第１電位（すなわち０Ｖ）を第１書き込み時間長だけ接続した後に、第２電位（すなわち＋３０Ｖ）を第１吸着防止時間長の間に接続することで、第１表示領域１８ａにおいて、電気泳動粒子が共通電極１２または第１表示用電極１５ａに過度に吸着することが抑制される。また、第２表示用電極１５ｂに第２電位（すなわち＋３０Ｖ）を第２書き込み時間長だけ接続した後に、第１電位（すなわち０Ｖ）を第２吸着防止時間長の間に接続することで、第２表示領域１８ｂにおいて、電気泳動粒子が共通電極１２または第２表示用電極１５ｂに過度に吸着することが抑制される。
【００６９】
また、本実施の形態では、第１吸着防止時間長が、第１書き込み時間長の０．１％〜５％の時間長、すなわち第１表示用電極１５ａに書き込み時とは逆極性の電位を接続する前後の第１表示領域１８ａの反射率の変化率が５％以内となる時間長であることで、第１表示用電極１５ａに書き込み時とは逆極性の電位を接続する際に、第１表示領域１８ａにおける表示色（すなわち白色）が観察者により感知可能な程度まで劣化することが防止される。また、第２吸着防止時間長が、第２書き込み時間長の０．１％〜５％の時間長、すなわち第２表示用電極１５ｂに書き込み時とは逆極性の電位を接続する前後の第２表示領域１８ｂの反射率の変化率が５％以内となる時間長であることで、第２表示用電極１５ｂに書き込み時とは逆極性の電位を接続する際に、第２表示領域１８ｂにおける表示色（すなわち黒色）が観察者により感知可能な程度まで劣化することが防止される。
【００７０】
次に、図３（ｃ）に示される第２画像から、図３（ｄ）に示される第３画像に書き換える工程、すなわち、第２表示領域１８ｂの表示色を黒色から白色に切り替え、第１表示領域１８ａおよび第３表示領域１８ｃの表示色をそのまま保持する工程を説明する。
【００７１】
この場合、図４に示すように、次の表示書き換えタイミングにおいて、電圧印加制御部１９は、共通電極１２、第１表示用電極１５ａ、および第３表示用電極１５ｃに第３電位（例えば＋１５Ｖ）を接続し続ける。これにより、第１表示領域１８ａおよび第３表示領域１８ｃの表示色は、そのまま保持される。一方、電圧印加制御部１９は、第２表示用電極１５ｂに第１電位（すなわち０Ｖ）を第１書き込み時間長（すなわち３００ｍｓ）だけ接続し、次に第２電位（すなわち＋３０Ｖ）を第１吸着防止時間長（すなわち０．３ｍｓ〜１５ｍｓ）の間に、ここでは第１吸着防止時間長の間、連続的に接続し、その後第３電位（すなわち＋１５Ｖ）を接続する。これにより、第２表示領域１８ｂの表示色は、黒色から白色に切り替わる。
【００７２】
ここで、第２表示用電極１５ａに第１電位（すなわち０Ｖ）を第１書き込み時間長だけ接続した後に、第２電位（すなわち＋３０Ｖ）を第１吸着防止時間長の間に接続することで、第２表示領域１８ｂにおいて、電気泳動粒子が共通電極１２または第２表示用電極１５ｂに過度に吸着することが抑制される。
【００７３】
また、本実施の形態では、第１吸着防止時間長が、第１書き込み時間長の０．１％〜５％の時間長、すなわち第２表示用電極１５ｂに書き込み時とは逆極性の電位を接続する前後の第２表示領域１８ｂの反射率の変化率が５％以内となる時間長であることで、第２表示用電極１５ｂに書き込み時とは逆極性の電位を接続する際に、第２表示領域１８ｂにおける表示色（すなわち白色）が観察者により感知可能な程度まで劣化することが防止される。
【００７４】
以上のような本実施の形態によれば、表示書き換えタイミングにおいて、共通電極１２に第３電位が接続されるとともに表示用電極１５ａ、１５ｂ、１５ｃに第１電位または第２電位が所定の書き込み時間長だけ接続されることで、表示媒体中の電気泳動体が共通電極１２または表示用電極１５ａ、１５ｂ、１５ｃに吸着され、表示領域１８ａ、１８ｂ、１８ｃには第１色（例えば白色）または第２色（例えば黒色）が表示される。次に、表示用電極１５ａ、１５ｂ、１５ｃに第３電位に対して書き込み時とは逆極性の電位が書き込み時間長より短い吸着防止時間長の間に接続されることで、共通電極１２または表示用電極１５ａ、１５ｂ、１５ｃに吸着された電気泳動体が当該電極１２または１５ａ、１５ｂ、１５ｃから反発される。これにより、電気泳動体が電極１２または１５ａ、１５ｂ、１５ｃに過剰に吸着することが抑制され、次の書き換え時に電気泳動体が共通電極１２または表示用電極１５ａ、１５ｂ、１５ｃからスムーズに離れることができる。したがって、反射型表示装置１０の応答速度が改善される。また、電気泳動体が電極１２または１５ａ、１５ｂ、１５ｃに過剰に吸着することが抑制されることで、１回の書き換えあたりに生じる、電極１２または１５ａ、１５ｂ、１５ｃに吸着して離れない電気泳動粒子の数が減少する。これにより、製品としての書き換え寿命、すなわち、最大書き換え可能回数を延ばすことができる。
【００７５】
また、本実施の形態によれば、吸着防止時間長が、表示色を切り替える表示領域に対応する表示用電極に書き込み時とは逆極性の電位を接続する前後の当該表示領域の反射率の変化率が５％以内となる時間長であるため、表示用電極に書き込み時とは逆極性の電位が当該吸着防止時間長だけ接続される際に、表示状態が観察者により感知可能な程度まで劣化することを防止できる。具体的には、例えば、第１吸着防止時間長は、第１書き込み時間長の０．１％〜５％の時間長であり、第２吸着防止時間長は、第２書き込み時間長の０．１％〜５％の時間長である。本件発明者の実際の検証によれば、このような数値範囲であれば、表示用電極に書き込み時とは逆極性の電位を接続する前後における当該表示領域の反射率の変化率を５％以内とすることができる。
【００７６】
なお、本実施の形態では、第１書き込み時間長は、第２書き込み時間長と同じであったが、これに限定されず、第１書き込み時間長は、第２書き込み時間長とは異なっていてもよい。
【００７７】
また、本実施の形態では、共通電極１２には電圧印加制御部１９から第３電位（例えば＋１５Ｖ）が接続されるようになっていたが、これに限定されず、例えば、第３電位がＧＮＤ電位（０Ｖ）であって、共通電極１２にはＧＮＤ電位が直接接続されていてもよい。この場合、電圧印加制御部１９は各表示用電極１５ａ、１５ｂ、１５ｃに第３電位（０Ｖ）、第３電位に対して負の極性の第１電位（例えば−１５Ｖ）、および第３電位に対して正の極性の第２電位（例えば＋１５Ｖ）を選択的に接続可能となっていればよい。
【００７８】
なお、前述の実施の形態に対して様々な変更を加えることが可能である。
【００７９】
例えば、図５乃至図７に示すように、電圧印加制御部１９は、白色から黒色に表示色を切り替える表示領域（例えば符号１８ａの表示領域）に対応する表示用電極１５ａに第１電位（例えば０Ｖ）を第２吸着防止時間長の間に接続する際に、第１電位（すなわち０Ｖ）を連続的に接続する動作と、第３電位（例えば＋１５Ｖ）を連続的に接続する動作と、を交互に繰り返すようになっていてもよい。ここでは、図６に示すように、第１電位の各接続時間とそれらの間の第３電位の各接続時間の総和が第２吸着防止時間長と等しくなる。
【００８０】
この場合、共通電極１２および表示用電極１５ａに吸着していた電気泳動粒子を各電極からより効果的に引き剥がすことができる。本件発明者の実際の検証によれば、表示用電極１５ａに第１電位を第２吸着防止時間長の間に接続する際に、第１電位を連続的に接続する動作と、第３電位を連続的に接続する動作と、を交互に繰り返すことで、第１電位を第２吸着防止時間長の間、連続的に接続する場合に比べて、より短時間で吸着防止効果を得ることができることが確認された。
【００８１】
これは、以下の作用によるものと考えられる。すなわち、表示用電極１５ａに第１電位を接続することで、負に帯電した白色の電気泳動粒子が表示用電極１５ａから反発されると共に、正に帯電した黒色の電気泳動粒子が共通電極１２から反発され、各電気泳動粒子が動かされることで、表示媒体１３中に圧力勾配が生じる、すなわち、表示用電極１５ａの近傍および共通電極１２の近傍における表示媒体１３の圧力が下がる。次に、表示用電極１５ａに第３電位を接続することで、各電気泳動粒子に作用していた電気的な力が消失し、表示媒体１３の圧力勾配が緩和する、すなわち、表示用電極１５ａの近傍および共通電極１２の近傍における表示媒体１３の圧力が上がる。そして、表示用電極１５ａに第１電位を接続することと第３電位を接続することとが交互に繰り返されることで、共通電極１２および表示用電極１５ａに表示媒体１３から圧力がかかる回数が増えるため、共通電極１２および表示用電極１５ａに吸着していた電気泳動粒子が当該電極から効果的に引き剥がされる。
【００８２】
図５乃至図７に示す例では、表示用電極１５ａに第１電位（すなわち０Ｖ）を第２吸着防止時間長の間に接続する際に、第１電位（すなわち０Ｖ）の連続接続時間長Ｔ１１は、１ｍｓ以上であることが好ましい。第１電位の連続接続時間長Ｔ１１が１ｍｓ未満であると、共通電極１２および表示用電極１５ａに吸着していた電気泳動粒子を当該電極から引き剥がす効果が低減する。これは、第１電位の連続接続時間長Ｔ１１が短すぎて表示媒体１３中に十分な圧力勾配を形成することができないためであると考えられる。また、第３電位（すなわち＋１５Ｖ）の連続接続時間長Ｔ１２は、５００μｓ以上であることが好ましい。第３電位の連続接続時間長Ｔ１２が５００μｓ未満であると、第１電位を第２吸着防止時間長の間、連続的に接続し続ける場合と吸着防止効果が変わらなくなる。これは、第３電位の連続接続時間長Ｔ１２が短すぎて表示媒体１３の圧力勾配を十分に緩和できないためであると考えられる。
【００８３】
また、図５乃至図７に示すように、電圧印加制御部１９は、黒色から白色に表示色を切り替える表示領域（例えば符号１８ｂの表示領域）に対応する表示用電極１５ｂに前記第２電位（例えば＋３０Ｖ）を第１吸着防止時間長の間に接続する際に、第２電位（すなわち＋３０Ｖ）を連続的に接続する動作と、第３電位（すなわち＋１５Ｖ）を連続的に接続する動作と、を交互に繰り返すようになっていてもよい。ここでは、図７に示すように、第２電位の各接続時間とそれらの間の第３電位の各接続時間の総和が第１吸着防止時間長と等しくなる。
【００８４】
この場合、共通電極１２および表示用電極１５ｂに吸着していた電気泳動粒子を各電極から効果的に引き剥がすことができる。本件発明者の実際の検証によれば、表示用電極１５ｂに第２電位を第１吸着防止時間長だけ接続する際に、第２電位を連続的に接続する動作と、第３電位を連続的に接続する動作と、を交互に繰り返すことで、第２電位を第１吸着防止時間長の間、連続的に接続する場合に比べて、より短時間で吸着防止効果を得ることができることが確認された。
【００８５】
これは、以下の作用によるものと考えられる。すなわち、表示用電極１５ｂに第２電位を接続することで、正に帯電した黒色の電気泳動粒子が表示用電極１５ｂから反発されると共に、負に帯電した白色の電気泳動粒子が共通電極１２から反発され、各電気泳動粒子が動かされることで、表示媒体１３中に圧力勾配が生じる、すなわち、表示用電極１５ｂの近傍および共通電極１２の近傍における表示媒体１３の圧力が下がる。次に、表示用電極１５ｂに第３電位を接続することで、各電気泳動粒子に作用していた電気的な力が消失し、表示媒体１３の圧力勾配が緩和する、すなわち、表示用電極１５ｂの近傍および共通電極１２の近傍における表示媒体１３の圧力が上がる。そして、表示用電極１５ｂに第２電位を接続することと第３電位を接続することとが交互に繰り返されることで、共通電極１２および表示用電極１５ｂに表示媒体１３から圧力がかかる回数が増えるため、共通電極１２および表示用電極１５ｂに吸着していた電気泳動粒子が当該電極から効果的に引き剥がされる。
【００８６】
図５乃至図７に示す例では、表示用電極１５ｂに第２電位（すなわち＋３０Ｖ）を第１吸着防止時間長の間に接続する際に、第２電位（すなわち＋３０Ｖ）の連続接続時間長Ｔ２１は、１ｍｓ以上であることが好ましい。第２電位の連続接続時間長Ｔ２１が１ｍｓ未満であると、共通電極１２および表示用電極１５ｂに吸着していた電気泳動粒子を当該電極から引き剥がす効果が低減する。これは、第２電位の連続接続時間長Ｔ２１が短すぎて表示媒体１３中に十分な圧力勾配を形成できないためであると考えられる。また、第３電位（すなわち＋１５Ｖ）の連続接続時間長Ｔ２２は、５００μｓ以上であることが好ましい。第３電位の連続接続時間長Ｔ２２が５００μｓ未満であると、第２電位を第１吸着防止時間長の間、連続的に接続し続ける場合と吸着防止効果が変わらなくなる。これは、第３電位の連続接続時間長Ｔ２２が短すぎて表示媒体１３の圧力勾配を十分に緩和できないためであると考えられる。
【符号の説明】
【００８７】
１０      反射型表示装置
１１      一方の基板
１２      共通電極
１３      表示媒体
１４      隔壁
１５ａ    表示用電極
１５ｂ    表示用電極
１５ｃ    表示用電極
１６      他方の基板
１７      外周シール
１８ａ    表示領域
１８ｂ    表示領域
１８ｃ    表示領域
１９      電圧印加制御部
２０      ドライバＩＣ
２１      外部電源
２２      ＩＣコントローラ
【図１】
2016014851.tif 000003
【図２】
2016014851.tif 000004
【図３】
2016014851.tif 000005
【図４】
2016014851.tif 000006
【図５】
2016014851.tif 000007
【図６】
2016014851.tif 000008
【図７】
2016014851.tif 000009